(57)【要約】【課題】  主要な建物や施設等が非常に分かり易くインパクトの強いかたちで表現され、使い勝手がよく、便利であると共に、広告媒体としても好適に利用され、児童にも喜ばれるガイドマップを提供することを課題とする。【解決手段】  少なくとも片面に地図が印刷されると共に、折り畳み及び展開が可能なように縦横に折り目（１ａ，１ｂ）が形成された台紙（１）と；下縁部分が上記台紙の地図面（１ｃ）に貼り付けられ、台紙を折り畳んだときは、折り畳まれた台紙の各層間に収容され、台紙を展開したときは台紙の地図面上に起立するよう構成された１枚以上の立上がり紙片（２ａ〜２ｄ）と；から構成されたことを特徴とする。上記折り目（１ａ，１ｂ）はミウラ折り方式の折り目とすることが望ましく、また、折り畳んだ状態の台紙の最外面には表紙片（３ａ，３ｂ）を貼り付けることが望ましい。【選択図】  図２
2006323064.tif 000002
【特許請求の範囲】
【請求項１】
少なくとも片面に地図が印刷されると共に、折り畳み及び展開が可能なように縦横に折り目（１ａ，１ｂ）が形成された台紙（１）と、
下縁部分が上記台紙の地図面（１ｃ）に貼り付けられ、台紙を折り畳んだときは、折り畳まれた台紙の各層間に収容され、台紙を展開したときは台紙の地図面上に起立するよう構成された１枚以上の立上がり紙片（２ａ〜２ｄ）と、
から構成されたことを特徴とするガイドマップ。
【請求項２】
上記折り目（１ａ，１ｂ）が、ミウラ折り方式の折り目である請求項１に記載のガイドマップ。
【請求項３】
上記台紙の折り畳んだ状態における最外面に表紙片（３ａ，３ｂ）を貼り付けた請求項１に記載のガイドマップ。
【請求項４】
上記台紙の地図面又はその裏面に、広告掲載スペース（１ｄ，１ｅ）を設けた請求項１に記載のガイドマップ。
【請求項５】
上記広告掲載スペース（１ｅ）にも立上がり片（２ｅ）を取り付けた請求項１に記載のガイドマップ。
【発明の詳細な説明】
【技術分野】
【０００１】
本発明は、観光地、テーマパーク、商店街、繁華街、博覧会場、イベント会場、等々を見て廻るときや、交通路線図を見て交通機関を利用するときなどに、好適に利用できるガイドマップに関するものである。
【背景技術】
【０００２】
従来公知のガイドマップとしては、例えば下記の特許文献１や２に記載のものがあるが、これらはいずれも平面的な見取り図形式のものであり、実用的ではあるが、利用者の感性に訴えるインパクトには乏しいという問題があった。
【０００３】
【特許文献１】特開２００１−２１５８７０号公報
【特許文献２】特開２００３−１７２６３１号公報
【発明の開示】
【発明が解決しようとする課題】
【０００４】
本発明は、上記の問題点を解決するためなされたものであり、その目的とするところは、主要な建物や施設等が非常に分かり易くインパクトの強いかたちで表現され、使い勝手がよく、便利であると共に、広告媒体としても好適に利用され、児童にも喜ばれるガイドマップを提供することにある。
【課題を解決するための手段】
【０００５】
上記の目的は、
少なくとも片面に地図が印刷されると共に、折り畳み及び展開が可能なように縦横に折り目が形成された台紙と、
下縁部分が上記台紙の地図面に貼り付けられ、台紙を折り畳んだときは、折り畳まれた台紙の各層間に収容され、台紙を展開したときは台紙の地図面上に起立するよう構成された１枚以上の立上がり紙片と、
から構成されたことを特徴とするガイドマップによって達成できる。
【０００６】
上記折り目は、ミウラ折り方式の折り目とすることが推奨される。
上記台紙の折り畳んだ状態における最外面には表紙片を貼り付けることが望ましい。
上記台紙の地図面又はその裏面に、広告掲載スペースを設けることも望ましく、当該広告掲載スペースにも立上がり片を取り付けるようにしてもよい。
【発明の効果】
【０００７】
上記の如き構成であると、ガイドマップの使用時に台紙を広げて展開させると、いわゆる「飛び出す絵本」のように、建物その他を表示する立上がり紙片が地図面上に起立するので、それらの建物等の所在等が非常に分かりやすく、しかもインパクトが強いので、印象にも残りやすい。
従ってまた、台紙の地図面又はその裏面に、広告掲載スペースを設けたり、立上がり紙片を広告媒体として利用することにより、効果的な広告手段として用いることもできる。
また、「飛び出す絵本」のように意外性があり、見ていて楽しいので、遊園地やテーマパークのガイドマップとして販売する場合には、子供用の一種の玩具としての役割も果たすものである。
【発明を実施するための最良の形態】
【０００８】
以下、図面に示す実施例を参照しつつ、本発明を実施するための最良の形態について説明する。
【実施例】
【０００９】
図１は、本発明に係るガイドマップの一実施例の外観斜視図、
図２は、図１に示すガイドマップの地図面を開いた状態で示す平面図
図３は、図２に示すガイドマップの裏側を示す平面図、
図４は、図２に示すガイドマップの台紙とこれに貼り付けられた立上がり紙片の一例を、図２中の矢符Ａの方向から見た状態で示す側面図、
図５は、台紙に対する立上がり紙片の貼り付け状態の一例を示す斜視図、
図６は、図１に示したガイドマップの一つの実例を写真で示す図、
図７は、図６に示したガイドマップを広げてゆく一段階を写真で示す図、
図８は、図６に示したガイドマップをほぼ全体的に広げた状態を写真で示す図、
図９は、図８に示した広げられたガイドマップの立上がり片が取り付けられた部分の拡大図である。
【００１０】
各図中、１は台紙、１ａ，１ｂはミウラ折り方式の折り目、１ｃは地図印刷部、１ｄ，１ｅは広告掲載スペース、２ａ〜２ｅは立上がり紙片、２１はその立上がり部、２２は糊付け耳部、２３は立上がり紙片の折り目、３ａ及び３ｂは表紙である。
【００１１】
図示した実施例における本発明に係るガイドマップは、台紙１と、立上がり紙片２ａ〜２ｅと、表紙片３ａ，３ｂとから構成されている。
台紙１の少なくとも片面には、地図印刷部１ｃが設けられ、当該部分には、観光地、商店街、繁華街等の地図や、テーマパーク、博覧会場、イベント会場等の案内見取り図、或いはまた、交通路線図等が印刷されている。従って、本発明において「地図」というときは、そのような会場案内見取り図や交通路線図等々も広く含むものである。
【００１２】
また、台紙１には、これを容易に折り畳んだり広げたり（展開）することが可能なように、縦横に折り目１ａ，１ｂが形成されると共に（図２，図３参照）、折り畳んだ状態において最外面となる箇所には表紙片３ａ及び３ｂが貼り付けられている（図１，図２，図３参照）。
折り目１ａ，１ｂは、一直線状の折り目１ａ，１ａと、屈曲した折り目１ｂ，１ｂとから成るいわゆるミウラ折り方式の折り目とすることにより、台紙１の折畳み及び展開の操作が容易となる。
即ち、表紙片３ａ及び３ｂを両手で持って両者を引き離したり近づけたりすることにより、資料１を簡単に展開したり、閉じたりすることができる。
折り目の数は、台紙１の大きさや使用目的に応じて適宜変更可能であり、図２及び図３に示した例では、横方向に８面、縦方向に５面が形成されるように折り畳んであるが、これ以外の形態に折り畳むことも可能である。
【００１３】
台紙１の地図印刷部１ｃ上には、地図上の該当位置に存在する建物や施設等を表す立上がり紙片２ａ〜２ｄが貼り付けられ、これらの紙片２ａ〜２ｄは、台紙を折り畳んだときは、折り畳まれた台紙の各層間に収容され（図１，図６，図７参照）、台紙を展開したときは台紙の地図印刷部１ｃ上に起立する（図２，図４，図５，図８，図９参照）ように構成されている。
即ち、立上がり紙片２ａ〜２ｄのうち、紙片２ａを例にして、図４及び図５を参照しつつ説明すれば、例えば教会の形をした立上がり紙片２ａは、その下縁部分に設けた糊付け耳部２２，２２において台紙１の谷折り状の折り目１ｂを挟んで糊付けされており、台紙１を折り畳むと、紙片２ａもそれ自身の折り目２３において折り畳まれた状態となって、折り畳まれた台紙１の内部に収容され、台紙１を広げる（展開する）と、図４，図５，図８，図９に示すように、台紙１上に起立するようになっている。
立上がり紙片の形態及び台紙への取付け形態は、これ以外にも各種各様のものが可能であり、飛び出す絵本等で採用されているもの等を広く利用できる。
【００１４】
台紙１には、地図印刷部１ｃだけでなく、広告掲載スペース１ｄ，１ｅを設けることも可能であり、これらのスペースにも立上がり紙片２ｅを取り付けることが可能である。
例えば、商店街のガイドマップの場合には、地図印刷部１ｃ上に特定の商店を表す立上がり紙片１ａ等を取り付けることが可能であるが、広告掲載スペース１ｄ，１ｅには、特定の商店の広告を印刷すると共に、その商店で取り扱っている商品その他のミニチュアを立上がり紙片２ｅとして取り付けるようにすることも推奨される。そうすることにより、単なる平面的な印刷に比べて、宣伝効果が格段に向上する。
【００１５】
立上がり紙片は、建物や施設等に限らず、キャラクターその他の人物像や有名な樹木等であっもよく、動物園のガイドマップの場合は各種の動物、遊園地のガイドマップの場合は乗物や遊戯施設のミニチュア等が、それらの所在位置で立ち上がるように取り付けられる。
【００１６】
なお、本発明は上記の実施例に限定されるものではない。
即ち、例えば、台紙１の表裏両面に地図等を印刷して、立上がり紙片を台紙の表裏両面に設けることも可能である。
或いはまた、台紙の裏面はすべて広告掲載スペースとしたり、もしくは、表側の面に記載した建物、施設等の詳しい説明文を記載したりすることも可能である。
従って本発明は、その目的の範囲内において、上記の説明から当業者が容易に想到し得るすべての変更実施例を包摂するものである。
【産業上の利用可能性】
【００１７】
本発明は以上の如く構成されるから、本発明によるときは、主要な建物や施設等が非常に分かり易くインパクトの強いかたちで表現され、使い勝手がよく、便利であると共に、広告媒体としても好適に利用され、児童にも喜ばれるガイドマップを提供し得るものである。
【図面の簡単な説明】
【００１８】
【図１】本発明に係るガイドマップの一実施例の外観斜視図である。
【図２】図１に示すガイドマップの地図面を開いた状態で示す平面図である。
【図３】図２に示すガイドマップの裏側を示す平面図である。
【図４】図２に示すガイドマップの台紙とこれに貼り付けられた立上がり紙片の一例を、図２中の矢符Ａの方向から見た状態で示す側面図である。
【図５】台紙に対する立上がり紙片の貼り付け状態の一例を示す斜視図である。
【図６】図１に示したガイドマップの一つの実例を写真で示す図である。
【図７】図６に示したガイドマップを広げてゆく一段階を写真で示す図である。
【図８】図６に示したガイドマップをほぼ全体的に広げた状態を写真で示す図である。
【図９】図８に示した広げられたガイドマップの立上がり片が取り付けられた部分の拡大図である。
【符号の説明】
【００１９】
１      台紙
１ａ，１ｂ  ミウラ折り方式の折り目
１ｃ    地図印刷部
１ｄ，１ｅ  広告掲載スペース
２ａ〜２ｅ  立上がり紙片
２１    立上がり部
２２    糊付け耳部
２３    立上がり紙片の折り目
３ａ，３ｂ  表紙
【図１】
2006323064.tif 000003
【図２】
2006323064.tif 000004
【図３】
2006323064.tif 000005
【図４】
2006323064.tif 000006
【図５】
2006323064.tif 000007
【図６】
2006323064.tif 000008
【図７】
2006323064.tif 000009
【図８】
2006323064.tif 000010
【図９】
2006323064.tif 000011